(57)【特許請求の範囲】
【請求項１】
海水及びサンゴを内部に閉じ込める試験容器と、
前記試験容器内に突出する陰極と、
前記試験容器内に突出して、前記陰極との間で電流を流す陽極と、
導電性を有し、かつ前記試験容器の内部に配置され、前記試験容器の内部に前記サンゴが配置される部分の前記海水から、前記陽極と前記陰極とのうち少なくとも一方を隔離する電極隔離体と、
前記試験容器の内部に前記サンゴが配置される部分の前記海水に溶存する酸素の濃度を計測する酸素濃度計測手段と、
を含むことを特徴とするサンゴの光合成活性評価装置。
【請求項２】
前記陽極と前記陰極とのうち少なくとも一方は、前記試験容器の内部に配置される電極格納容器の内部に配置され、かつ、前記電極隔離体は、前記電極格納容器に取り付けられて、前記電極格納容器の内部と前記試験容器の内部とを区画することを特徴とする請求項１に記載のサンゴの光合成活性評価装置。
【請求項３】
海水及びサンゴを内部に閉じ込める試験容器と、
前記試験容器内に突出する陰極と、
前記試験容器内に突出して、前記陰極との間で電流を流す陽極と、
前記陽極を格納する電極格納容器と、
導電性を有し、かつ前記試験容器の内部の前記海水と前記陽極との間に配置されて前記陽極を前記海水から隔離する電極隔離体と、
前記試験容器の内部の前記海水に溶存する酸素の濃度を測定する酸素濃度計測手段と、
を含むことを特徴とするサンゴの光合成活性評価装置。
【請求項４】
前記試験容器の内部の前記海水を循環させる海水循環手段を備えることを特徴とする請求項１〜３のいずれか１項に記載のサンゴの光合成活性評価装置。
【請求項５】
前記海水循環手段は、
前記試験容器に接続されて、前記試験容器の内部の前記海水を、前記試験容器の外部へ取り出す取水通路と、
前記試験容器に接続されて、前記取水通路から取り出した前記海水を、前記試験容器の内部へ流入させる海水戻し通路と、
前記取水通路と前記海水戻し通路とが接続されて、前記取水通路から前記試験容器内の前記海水を吸引し、吸引した前記海水を前記海水戻し通路へ吐出するポンプと、
を含むことを特徴とする請求項４に記載のサンゴの光合成活性評価装置。
【請求項６】
前記電極隔離体は、ゲル化剤と海水との混合物であることを特徴とする請求項１〜５のいずれか１項に記載のサンゴの光合成活性評価装置。
【発明の詳細な説明】
【技術分野】
【０００１】
本発明は、サンゴの光合成の活性を評価することに関する。
【０００２】
近年、埋め立てや地球の温暖化に起因する海水温度の上昇等によって、サンゴ群集の白化やサンゴの死滅といったサンゴ礁の衰退が問題となっている。このため、近年においては、サンゴを人工的に養殖して、サンゴ礁を回復させる試みが提案されている。特許文献１には、海中の任意の深さに位置できる複数の浮体間に、サンゴの付着するサンゴ養生棚を備えるサンゴ養殖装置が提案されている。
【０００３】
【特許文献１】特開平１１−３２６２０号公報
【発明の開示】
【発明が解決しようとする課題】
【０００４】
ところで、近年においては、サンゴを活着させるためのサンゴ活着部と、このサンゴ活着部に対応する陽極とを海中に配置し、陽極と陰極であるサンゴ活着部との間に電流を流すことにより電場を形成して、陰極へのサンゴの活着を促進させる技術が提案されている。このような技術においては、サンゴの活着や生育に好適な環境を作り出すための条件はまだ十分に明らかではない。ここで、褐虫藻を共生させるサンゴは、褐虫藻が光合成活動を行うので、このようなサンゴにおいては、光合成活性をサンゴの活動の尺度とすることができる。このため、サンゴの生育や活着に好適な環境であるか否かを評価する尺度としてサンゴの光合成活性を評価する。本発明は、電場が形成された環境において、サンゴの光合成活性を評価できるサンゴの光合成活性評価装置を提供することを目的とする。
【課題を解決するための手段】
【０００５】
上述した課題を解決し、目的を達成するために、本発明に係るサンゴの光合成活性評価装置は、海水及びサンゴを内部に閉じ込める試験容器と、前記試験容器内に突出する陰極と、前記試験容器内に突出して、前記陰極との間で電流を流す陽極と、導電性を有し、かつ前記試験容器の内部に配置され、前記試験容器の内部に前記サンゴが配置される部分の前記海水から、前記陽極と前記陰極とのうち少なくとも一方を隔離する電極隔離体と、前記試験容器の内部に前記サンゴが配置される部分の前記海水に溶存する酸素の濃度を計測する酸素濃度計測手段と、を含むことを特徴とする。
【０００６】
このような構成により、電極は、サンゴが配置される部分の海水から隔離されるので、サンゴが配置される部分の海水へ電極から発生する気体が漏れ出すことを抑制できる。また、電極での反応で海水中の酸素が消費されることにより、サンゴが配置される部分の海水の酸素濃度が低下することを抑制できる。その結果、サンゴの光合成活性を評価でき、その際の評価精度を向上させることができる。
【０００７】
本発明の望ましい態様としては、前記サンゴの光合成活性評価装置において、前記陽極と前記陰極とのうち少なくとも一方は、前記試験容器の内部に配置される電極格納容器の内部に配置され、かつ、前記電極隔離体は、前記電極格納容器に取り付けられて、前記電極格納の内部と前記試験容器の内部とを区画することが好ましい。これによって、サンゴが配置される部分の海水からより確実に電極を隔離できるので、電極から発生する気体等の影響をより低減できる。
【０００８】
上述した課題を解決し、目的を達成するために、本発明に係るサンゴの光合成活性評価装置は、海水及びサンゴを内部に閉じ込める試験容器と、前記試験容器内に突出する陰極と、前記試験容器内に突出して、前記陰極との間で電流を流す陽極と、前記陽極を格納する電極格納容器と、導電性を有し、かつ前記試験容器の内部の前記海水と前記陽極との間に配置されて前記陽極を前記海水から隔離する電極隔離体と、前記試験容器の内部の前記海水に溶存する酸素の濃度を測定する酸素濃度計測手段と、を含むことを特徴とする。
【０００９】
このような構成により、陽極は、サンゴが配置される部分の海水から隔離されるので、サンゴが配置される部分の海水へ陽極から発生する塩素や酸素が漏れ出すことを抑制できる。その結果、サンゴの光合成活性を評価でき、その際の評価精度を向上させることができる。
【００１０】
本発明の望ましい態様としては、前記サンゴの光合成活性評価装置において、前記試験容器の内部の前記海水を循環させる海水循環手段を備えることが好ましい。これによって、サンゴが配置される部分の海水のよどみを抑制して、適切な評価環境を維持できる。
【００１１】
本発明の望ましい態様としては、前記サンゴの光合成活性評価装置において、前記海水循環手段は、前記試験容器に接続されて、前記試験容器の内部の前記海水を、前記試験容器の外部へ取り出す取水通路と、前記試験容器に接続されて、前記取水通路から取り出した前記海水を、前記試験容器の内部へ流入させる海水戻し通路と、前記取水通路と前記海水戻し通路とが接続されて、前記取水通路から前記試験容器内の前記海水を吸引し、吸引した前記海水を前記海水戻し通路へ吐出するポンプと、を含むことが好ましい。
【００１２】
本発明の望ましい態様としては、前記サンゴの光合成活性評価装置において、前記電極隔離体は、ゲル化剤と海水との混合物であることが好ましい。これによって、導電性を有する電極隔離体を簡易に製造できる。
【発明の効果】
【００１３】
本発明に係るサンゴの光合成活性評価装置は、電場が形成された環境において、サンゴの光合成活性を評価できる。
【発明を実施するための最良の形態】
【００１４】
以下、この発明につき図面を参照しつつ詳細に説明する。なお、この発明を実施するための最良の形態（以下実施形態という）によりこの発明が限定されるものではない。また、下記実施形態における構成要素には、当業者が容易に想定できるもの、実質的に同一のもの、いわゆる均等の範囲に属するものが含まれる。以下においては、本発明をサンゴの光合成活性を評価する場合を説明するが、本発明は、褐虫藻と共生する貝類、例えばシャコ貝や、水中で光合成を行う草類の光合成活性を評価する場合にも適用できる。
【００１５】
本実施形態に係るサンゴの光合成活性評価装置は、電場が形成された環境においてサンゴの光合成量を評価するものであり、次の点に特徴がある。導電性を有する電極隔離体を試験容器の内部に配置して、試験容器の内部において前記サンゴが配置される部分の前記海水から、陽極と陰極とのうち少なくとも一方を隔離する。まず、電場が形成された環境でサンゴを育成させる手法を説明する。
【００１６】
図１は、サンゴを育成する環境に、電源を用いて電場を形成する手法を示す概念図である。サンゴ育成装置３０は、直流電源の電源装置３１によって陽極５と、サンゴ活着部である陰極６との間に電流を流し、サンゴＣの生育する環境に電場を形成する。このような構成により、電場を形成した環境で、陰極に活着させたサンゴＣを育成する。この手法を、便宜上外部電源方式という。
【００１７】
図２は、サンゴを育成する環境に、流電陽極法を用いて電場を形成する手法を示す概念図である。サンゴ育成装置３０ａは、いわゆる流電陽極法を利用した電着により、陽極５と陰極６との間に電場を形成する。そして、陰極６にサンゴＣを活着させて、サンゴＣを育成する。この手法を、便宜上流電陽極方式という。
【００１８】
サンゴ育成装置３０ａは、サンゴが活着する陰極６よりも自然電位が卑な金属を陽極（流電陽極）５として配置する。そして、陽極５と陰極６とを導体Ｌで接続し、陽極５と陰極６との間に介在する電解質（海水）の電池作用を利用して、陽極５と陰極６との間に電流を流す。これによって、陽極５と陰極６との間に電場を形成して、サンゴの生育する環境に電場が形成される。
【００１９】
図１に示すサンゴ育成装置３０及び図２に示すサンゴ育成装置３０ａの陰極６は、サンゴＣを活着させ、育成させるサンゴ育成床として機能する。陰極６には、ＣａＣＯ３、Ｍｇ（ＯＨ）２、ＭｇＣＯ３等の石灰質（電着鉱物）が析出する。そして、陰極６に析出した石灰質は、サンゴＣが活着する基盤となる。また、陽極５と陰極６との間に電流が流れることにより、陰極６の周辺環境のアルカリ化が促進される。これによって、陰極の周辺における海水のｐＨが上昇して、サンゴの石灰化に必要なエネルギーが小さくなるので、サンゴＣの成長速度及び耐性が向上する。これらの作用によって、サンゴ育成装置３０及びサンゴ育成装置３０ａでは、サンゴＣの活着及び成長を促進させることができる。
【００２０】
図３は、本実施形態に係るサンゴの光合成活性評価装置の構成を示す装置構成図である。図４は、本実施形態に係るサンゴの光合成活性評価装置が備える電極格納容器の構成を示す斜視図である。図５は、本実施形態に係るサンゴの光合成活性評価装置が備える電極格納容器の構成を示す断面図である。サンゴの光合成活性評価装置（以下光合成活性評価装置という）１は、試験容器２と、電極である陰極６と、電極である陽極５と、電極隔離体２１と、酸素濃度計測手段である酸素濃度計４０と、を含んでいる。
【００２１】
試験容器２は、両端が開口する筒状の容器本体２Ｂと、容器本体２Ｂの両端部の開口部に取り付けられて、容器本体２Ｂを密封する蓋（容器密封部材）２Ｓとで構成される。容器本体２Ｂは、例えば、アクリル樹脂やガラス等の透明の材料で構成される。これは、サンゴＣの光合成量を評価する際に、サンゴＣに光を照射する必要があるからである。蓋２Ｓは、容器本体２Ｂの密封性を向上させるため、例えば、ゴムのような柔軟性のある材料で構成される。
【００２２】
試験容器２の内部、すなわち、容器本体２Ｂの内面と、容器本体２Ｂの両端部を密封する蓋２Ｓとで囲まれる空間（以下試験容器内部）２Ｉには、海水Ｗが閉じ込められる。また、試験容器内部２Ｉには、光合成量の評価対象であるサンゴＣが配置される。
【００２３】
光合成活性評価装置１は、電場が形成された環境におけるサンゴＣの光合成量を評価する。このため、光合成活性評価装置１は、試験容器内部２Ｉに陽極５と陰極６とを突出させて、試験容器内部２Ｉに満たされている海水Ｗと陽極５及び陰極６とを接触させる。陽極５及び陰極６には、例えば白金、炭素棒、二酸化マンガン等の材料を用いる。白金や炭素棒を陽極５に用いると、陽極５からは塩素が発生する。白金や炭素棒を陰極６に用いると、陰極６からは水素が発生する。また、二酸化マンガンを陽極５に用いると、陽極５からは酸素が発生する。本実施形態では、陽極５に白金を用いる。
【００２４】
陽極５は電源３の＋に接続され、陰極６は電源３の−端子に接続される。光合成活性評価装置１は、電流調整装置７を備えており、陽極５と陰極６との間を流れる電流の大きさを変更できる。これによって、サンゴの光合成量を評価する際の条件を迅速かつ簡易に変更できる。
【００２５】
試験容器内部２Ｉには、試験容器内部２ＩにサンゴＣが配置される部分の海水Ｗに溶存する酸素の濃度を計測するため、酸素濃度計測手段として酸素濃度計４０が配置される。酸素濃度計４０によって検出された前記海水Ｗの溶存酸素濃度は、溶存酸素計表示装置４２に表示される。試験容器内部２Ｉの海水Ｗの溶存酸素濃度は、サンゴＣの光合成活性と相関が高いので、本実施形態では、試験容器内部２Ｉの海水Ｗの溶存酸素濃度に基づいて、サンゴＣの光合成活性を評価する。
【００２６】
また、試験容器内部２Ｉには、試験容器内部２Ｉに密封される海水Ｗの水質を計測するため、水質計４１が配置される。水質計４１では、例えば、試験容器内部２Ｉに密封される海水ＷのｐＨ等が計測される。水質計４１によって検出された前記海水Ｗの水質は、水質計表示装置４３に表示される。
【００２７】
光合成活性評価装置１は、サンゴＣへ光を照射する照明１０を備える。そして、サンゴＣの光合成活性を評価する際には、試験容器２の外部に設けられた照明１０によって、試験容器内部２Ｉの海水中に配置されたサンゴＣに光が照射される。試験容器内部２Ｉには照度計４４が配置されており、照度計４４がサンゴＣに照射される光の量を計測する。照度計４４の出力は、表示器４５に表示される。
【００２８】
光合成活性評価装置１でサンゴＣの光合成活性を評価する際には、電源３を用いて試験容器内部２Ｉ中の海水Ｗに電場を形成し、海水循環手段によって試験容器内部２Ｉの海水Ｗを循環させ、また、照明１０によってサンゴＣへ光を照射する。このような環境下で、酸素濃度計４０によって、試験容器内部２Ｉの海水Ｗに溶存する酸素の濃度を計測し、サンゴＣの光合成活性を評価する。
【００２９】
光合成活性評価装置１は、試験容器内部２Ｉの海水Ｗを試験容器内部２Ｉの外に取り出し、再び試験容器内部２Ｉへ戻す海水循環手段を備える。本実施形態において、海水循環手段は、試験容器２に接続される取水通路８ｉと、試験容器２に接続される海水戻し通路８ｅと、ポンプ９とを含んで構成される。取水通路８ｉは、試験容器内部２Ｉの海水Ｗを試験容器２の外部へ取り出す。また、海水戻し通路８ｅは、取水通路８ｉから取り出した海水Ｗを試験容器内部２Ｉへ流入させる。そして、ポンプ９は、取水通路８ｉと海水戻し通路８ｅとが接続されて、取水通路８ｉから試験容器内部２Ｉの海水Ｗを吸引し、吸引した海水Ｗを海水戻し通路８ｅへ吐出して、海水Ｗを試験容器内部２Ｉへ戻す。
【００３０】
上記構成により、サンゴの光合成活性を評価する際には、海水循環手段が、試験容器内部２Ｉと海水循環手段との間で海水Ｗを循環させる。これによって、試験容器内部２Ｉの海水Ｗがよどむことを抑制して、適切な評価環境を維持する。本実施形態において、ポンプ９は、ローラーポンプ、あるいはチューブポンプ（チュービングポンプ）と呼ばれる形式のものを用いる。ローラーポンプは、チューブの復元力を利用したポンプであり、発熱を抑制できるので、サンゴの光合成活性を評価する際における海水Ｗの昇温を抑制できる。ここで、酸素濃度計４０は、取水通路８ｉや海水戻し通路８ｅに設けてもよい。これによって、酸素濃度計４０のメンテナンスが容易になり、また、試験容器内部２Ｉに酸素濃度計４０を配置する必要はないので、試験容器２をコンパクトにできる。
【００３１】
光合成活性評価装置１は、海水Ｗの温度を制御するための評価環境温度制御手段として、水温調整装置４６を備える。水温調整装置４６は、例えば、冷却装置と加熱装置とを組み合わせて構成されており、温度コントローラによって海水Ｗの温度を設定した温度に調整する。水温調整装置４６は、海水Ｗを冷却、又は加熱して、光合成活性を評価する際には、試験装置内部２Ｉの海水の温度をサンゴＣに適した温度に維持する。本実施形態では、水温調整装置４６を海水戻し通路８ｅの途中に取り付けてあり、ポンプ９から吐出され、試験容器内部２Ｉへ送られる海水Ｗの温度を調整する。また、試験装置内部２Ｉの海水の温度を計測する温度計測手段を設け、この温度計測手段が計測した温度に基づいて、試験装置内部２Ｉの海水の温度を制御してもよい。このように、水温調整装置４６を設けることによって、サンゴＣの光合成活性を評価する際には、サンゴＣの周囲を適切な環境に維持できる。
【００３２】
上述したように、光合成活性評価装置１の陽極５には白金を用いる。このため、通電中、すなわちサンゴＣの光合成活性を評価しているときには、陽極５から塩素が発生する。また、陽極５に二酸化マンガンを用いた場合には、通電中に陽極５から酸素が発生する。陽極５から塩素が発生した場合、試験容器内部２ＩのサンゴＣは影響を受ける。また、陽極５から酸素が発生した場合、試験容器内部２ＩのサンゴＣが光合成によって発生した酸素の量を正確に見積もることができず、サンゴの光合成活性の評価精度が低下する。
【００３３】
そこで、本実施形態では、導電性を有する電極隔離体２１を用いて、塩素や酸素を発生する電極を、試験容器内部２ＩにサンゴＣが配置される部分の海水Ｗから、電極を隔離する。これによって、電極から発生した塩素や酸素等といった、サンゴの光合成活性を評価する際には不要な気体が、試験容器内部２ＩにサンゴＣが配置される部分の海水Ｗへ流出することを回避しつつ、試験容器内部２ＩにサンゴＣが配置される部分に電場を形成できる。その結果、サンゴの光合成によって発生した酸素を正確に見積もることができるので、サンゴの光合成活性の評価精度が向上する。
【００３４】
本実施形態では、試験容器内部２Ｉに配置される電極格納容器２０の内部に陽極５を配置するとともに、電極格納容器２０が試験容器内部２に開口する開口部に電極隔離体２１を取り付ける。これによって、電極隔離体２１は、電極格納容器２０と電極隔離体２１とで囲まれる空間、すなわち、電極格納容器２０の内部と試験容器内部２Ｉとを区画する。そして、電極隔離体２１は、電極格納容器２０と電極隔離体２１とで囲まれる空間に陽極５を閉じこめて、試験容器内部２ＩにサンゴＣが配置される部分の海水Ｗから陽極５を隔離する。このように、陽極５を電極格納容器２０の内部に閉じこめるので、サンゴＣが配置される部分の海水Ｗからより確実に陽極５を隔離して、陽極５から発生するサンゴの光合成活性を評価する際には不要な気体の影響を、より低減できる。
【００３５】
図３に示すように、電極格納容器２０は、本体部２２と支持部２３とで構成されている。本体部２２は、開口部を有する有底の形状であり、開口部には電極隔離体２１が取り付けられ、また、底部２２Ｂに支持部２３が接続される。支持部２３は、略Ｌ字形状のパイプであり、本体部２２の底部２２Ｂに開口している。支持部２３は、蓋２Ｓに貫通しており、本体部２２は支持部２３を介して蓋２Ｓに支持される。支持部２３及び本体部２２には海水Ｗが満たされており、本体部２２内に配置される陽極５は、海水Ｗ及び導電性を有する電極隔離体２１を介して、試験容器内部２ＩのサンゴＣが配置される部分の海水Ｗと電気的に導通する。これによって、陽極５と陰極６との間に電流が流れ、かつ、陽極５で発生する塩素や酸素は、電極格納容器２０の本体部２２と電極隔離体２１とで囲まれる電極格納容器２０内の空間に閉じこめられる。その結果、陽極５で発生する塩素や酸素が、試験容器内部２ＩのサンゴＣが配置される部分の海水Ｗへ流出することを回避できる。
【００３６】
電極隔離体２１は、上述したように導電性を有する。電極隔離体２１は、電極隔離体２１で仕切られる電極格納容器２０内の海水Ｗと、試験容器内部２Ｉの海水Ｗとの間で電気的な導通を確保するとともに、電極格納容器２０内に配置される電極（上記例では陽極５）から発生する気体は試験容器内部２Ｉへ通さない機能を有する。電極隔離体２１は、例えば、液体をゼリー状に固める（液体をゲル化させる）作用を持つ物質であるゲル化剤に海水を吸収させたものや、半透膜、中空糸膜、セロハン等を用いることができる。
【００３７】
本実施形態では、海水で溶かした寒天を固めたものを電極隔離体２１として用いる。ゲル化剤としては、例えば、ゼラチン、寒天、ペクチン、カラギーナン、高分子ゲル等がある。高分子ゲルは、高分子が架橋されることで三次元的な網目構造を形成し、その内部に溶媒物質である海水を吸収したものである。ここで、電極隔離体２１として、ゲル化剤に海水を吸収させたものを用いる場合には、電極である陽極５を電極隔離体２１に埋め込んでもよい。
【００３８】
図４は、本実施形態に係るサンゴの光合成活性評価装置が備える電極格納容器及び電極隔離体の詳細な構成例を示す斜視図である。図５は、本実施形態に係るサンゴの光合成活性評価装置が備える電極格納容器及び電極隔離体の詳細な構成例を示す断面図である。電極格納容器２０の本体部２２に設けられる開口部２２ｏには、キャップ２４が取り付けられる。キャップ２４は有底のコップ状の容器であり、キャップ２４の底部（キャップ底部）２４Ｂには、複数の貫通孔２５が設けられる。電極隔離体２１は、キャップ２４の内部かつキャップ底部２４Ｂに設けられ、貫通孔２５から図３に示す海水Ｗと接する。
【００３９】
キャップ２４は、その開口部２４ｏを電極格納容器２０の本体部２２に被せて、電極格納容器２０の本体部２２に設けられる開口部２２ｏを覆うように本体部２２に取り付けられる。例えば、キャップ２４の内周部に雌ねじを形成し、本体部２２の外周部に形成した雄ねじへキャップ２４をねじ込むことにより、キャップ２４を本体部に固定する。これによって、キャップ２４を本体部２２から簡単に着脱できるので、陽極５や電極隔離体２１の保守、点検が容易になる。なお、電極隔離体２１は、貫通孔２５にキャップ２４のキャップ底部２４Ｂの外側から塞いでキャップ２４のキャップ底部２４Ｂを重力の作用方向に向けて配置し、キャップ２４の内部に高温の海水に溶かした寒天を注入してから前記寒天を固化させることにより形成できる。これによって、簡単に電極隔離体２１を形成できるので、電極隔離体２１が劣化した場合には、簡単に電極隔離体２１を再形成できる。
【００４０】
キャップ２４のキャップ底部２４Ｂに設けられる貫通孔２５は、電極格納容器２０内に満たされる海水及び電極隔離体２１を介して、陽極５と図１に示す陰極６との間に電流を流し、図１に示す試験容器内部２Ｉの海水Ｗ中に電場を形成する。このような構成により、電極格納容器２０及び電極隔離体２１を簡単に構成できる。
【００４１】
試験容器内部２Ｉの海水Ｗ中に形成される電場を均一にするためには、キャップ２４のキャップ底部２４Ｂの開口面積をできる限り大きくすることが好ましい。これを考慮して、キャップ２４のキャップ底部２４Ｂに形成する貫通孔２５の大きさや個数を決定する。また、試験容器内部２Ｉの海水Ｗ中に形成される電場を均一にするためには、陽極５とサンゴＣまでの距離をできる限り大きくする。この場合、陽極５と同様に、図３に示す陰極６とサンゴＣとの距離もできる限り大きくする。
【００４２】
上記説明では、陽極５を電極隔離体２１でサンゴが存在する部分の海水から隔離したが、陰極６からサンゴの光合成活性を評価する際には不要な気体が発生したり、陰極６での電解反応で酸素が消費されたりする場合には、陰極６も電極隔離体２１でサンゴが存在する部分の海水から隔離してもよい。
【００４３】
本実施形態では、外部電源方式を用いた場合に、光合成活性評価装置１でサンゴの光合成活性を評価する例を説明したが、流電陽極方式のように、溶解性の金属を電極に用いる方式を用いた場合でも、光合成活性評価装置１を用いてサンゴの光合成活性を評価できる。流電陽極方式のように、電極に溶解性金属を用いると、海水Ｗ中に溶解物が発生するが、本実施形態によれば、電極隔離体２１によってサンゴが存在する部分の海水から電極を隔離するので、電極からの溶解物はサンゴが存在する部分の海水へ流入することを回避できる。これによって、サンゴの光合成活性を適切に評価できる。
【００４４】
以上、本実施形態では、電場が形成された環境でサンゴの光合成活性を評価するにあたって、導電性を有する電極隔離体を用いて電場を形成するための電極である陽極と陰極とのうち少なくとも一方を、サンゴが配置される部分の海水から隔離する。これによって、電極から発生してサンゴの光合成活性を評価する際には不要となる気体の影響や、電極での反応で酸素が消費されることの影響を最小限に抑えることができるので、サンゴの光合成活性の評価精度が向上する。
【００４５】
以上、本実施形態では、サンゴを活着させるサンゴ活着部を陰極とし、サンゴ活着部よりも自然電位が卑の陽極をサンゴ活着部と電気的に接続するとともに、サンゴ育成装置を海中に設置してから経過した時間に基づいて、前記サンゴ活着部と前記陽極との間を流れる電流の大きさを変更する。これによって、サンゴの活着に適した環境を作り出し、サンゴが活着した後は、サンゴの生育に適した環境を作り出すことができる。
【産業上の利用可能性】
【００４６】
以上のように、本発明に係るサンゴの光合成活性評価装置は、サンゴの光合成活性を評価することに有用であり、特に、電場が形成された環境でサンゴの光合成活性を評価することに適している。
【図面の簡単な説明】
【００４７】
【図１】サンゴを育成する環境に、電源を用いて電場を形成する手法を示す概念図である。
【図２】サンゴを育成する環境に、流電陽極法を用いて電場を形成する手法を示す概念図である。
【図３】本実施形態に係るサンゴの光合成活性評価装置の構成を示す装置構成図である。
【図４】本実施形態に係るサンゴの光合成活性評価装置が備える電極格納容器の構成を示す斜視図である。
【図５】本実施形態に係るサンゴの光合成活性評価装置が備える電極格納容器の構成を示す断面図である。
【符号の説明】
【００４８】
１  光合成活性評価装置
２  試験容器
２Ｂ  容器本体
２Ｉ  試験容器内部
２Ｓ  蓋
３  電源
５  陽極
６  陰極
７  電流調整装置
８ｉ  取水通路
８ｅ  海水戻し通路
９  ポンプ
１０  照明
２０  電極格納容器
２１  電極隔離体
２２  本体部
２２ｏ  開口部
２２Ｂ  底部
２３  支持部
２４  キャップ
２４Ｂ  キャップ底部
２５  貫通孔
３０、３０ａ  サンゴ育成装置
４０  酸素濃度計
４１  水質計
Ｃ  サンゴ
Ｗ  海水
【図１】
0004825768.tif 000002
【図２】
0004825768.tif 000003
【図３】
0004825768.tif 000004
【図４】
0004825768.tif 000005
【図５】
0004825768.tif 000006